(57)【要約】【課題】ナビゲーション部により探索された案内経路の全線のうち、現在地よりも目的地側先方の残り経路が通る地域を指定した放送を広域に亘って受信し選択的に映像表示や音声出力することができる。【解決手段】車両の出発地と目的地が入力されたときに、出発地と目的地とを地図道路上で結ぶ案内経路を探索するナビゲーション部と、このナビゲーション部から読み込んだ案内経路全線において車両の現在位置よりも目的地側の所要地点までの残り経路１０を算出する残り経路算出手段５ａと、残り経路算出手段から読み込んだ残り経路が通過する地域を探索する残り経路地域探索手段５ｂと、放送を選局可能に受信する放送受信部２と、放送受信部により受信された放送中に、地域を指定した放送の有無を検出する地域指定放送検出手段５ｃと、地域指定放送検出手段により検出された地域指定放送の中から、残り経路地域探索手段により探索された地域を指定した地域指定放送を抽出し、出力手段に出力する地域指定放送抽出手段５ｄと、を具備する。【選択図】  図１
2005285046.tif 000002
【特許請求の範囲】
【請求項１】
車両の出発地と目的地が入力されたときに、この出発地と目的地とを地図道路上で結ぶ案内経路を探索するナビゲーション部と、
このナビゲーション部から読み込んだ上記案内経路全線において上記車両の現在位置よりも目的地側の所要地点までの残り経路を算出する残り経路算出手段と、
この残り経路算出手段から読み込んだ残り経路が通過する地域を探索する残り経路地域探索手段と、
放送を選局可能に受信する放送受信部と、
この放送受信部により受信された放送中に、地域を指定した放送の有無を検出する地域指定放送検出手段と、
この地域指定放送検出手段により検出された地域指定放送の中から、上記残り経路地域探索手段により探索された地域を指定した地域指定放送を抽出し、出力手段に出力する地域指定放送抽出手段と、
を具備していることを特徴とする車載放送受信装置。
【請求項２】
上記地域指定放送抽出手段は、上記残り経路地域を指定した放送のうち、上記経路上を走行する車両の現在位置から所要距離先の地点までを含む地域向けに放送された地域指定放送に限定して上記出力手段に出力する経路距離限定機能を、
具備していることを特徴とする請求項１記載の車載放送受信装置。
【請求項３】
上記地域指定抽出手段は、上記残り経路地域を指定した放送のうち、上記経路上を走行する車両の現在位置から所定の予定時刻までに到着すると予定される地点までを含む地域向けに放送された地域指定放送に限定して上記出力手段に出力する到着予定時刻限定機能を、
具備していることを特徴とする請求項１記載の車載放送受信装置。
【請求項４】
上記地域指定抽出手段は、上記残り経路地域を指定した放送のうち、上記経路上を走行する車両の現在位置から所定の所要時間内に到着すると予定される地点までを含む地域向けに放送された地域指定放送に限定して上記出力手段に出力する到着予定所要時間限定機能を、
具備していることを特徴とする請求項１記載の車載放送受信装置。
【請求項５】
上記現在位置から所定距離までの経路距離、所要地点への到着予定時刻または到着予定所要時間の少なくともいずれかを予め設定する設定手段を、
具備していることを特徴とする請求項１〜４のいずれか１項に記載の車載放送受信装置。
【請求項６】
上記地域指定放送が地域指定の緊急警報放送であり、
上記地域指定抽出手段は、上記地域指定の緊急警報放送を、上記出力手段に強制的に出力させ、またはこの地域指定の緊急放送に、上記放送受信部を強制的に選局させて出力させる強制出力機能を、
具備していることを特徴とする請求項１〜４のいずれか１項に記載の車載放送受信装置。
【請求項７】
上記放送がデータ放送を含むモバイル放送であり、
上記出力手段は、上記モバイル放送の内容を、映像で表示する表示装置と音声で出力する音声出力手段とを備えていることを特徴とする請求項１〜５のいずれか１項に記載の車載放送受信装置。
【発明の詳細な説明】
【技術分野】
【０００１】
本発明は、ナビゲーション部により探索された案内経路上の現在地よりも目的地側へ先方の残り経路が通る地域を指定したモバイル放送等の地域指定放送を、モニタ等の出力装置に出力可能の車載放送受信装置に関する。
【背景技術】
【０００２】
一般に、車載用のカーナビゲーション装置は、出発地と目的地が入力されると、この出発地と目的地とを地図道路上で結ぶ案内経路を探索してモニタ等に表示する機能を有する。
【０００３】
また、この種のカーナビゲーション装置は、ＧＰＳ（Ｇｌоｂａｌ  Ｐоｓｉｔｉоｎｉｇ  Ｓｙｓｔｅｍ  全地球測位システム）受信装置を備えており、このＧＰＳ受信装置により自己車両（自車）の現在地を常時検出し、この現在地を中心とした所定範囲の案内経路を走行するために必要な交差点やランドマーク等に関する情報をナビゲーション情報としてモニタ等に表示し、または所要の音声ガイド等を出力させている。
【０００４】
ところで、近年では、この種のカーナビゲーション装置を利用して、交通渋滞や交通規制、交通事故等の交通情報を提供するシステムの一つとして、ＦＭ多重放送を介してかかる交通情報を提供するＶＩＣＳ（Ｖｅｈｉｃｌｅ  Ｉｎｆоｒｍａｔｉоｎ  ａｎｄ  Ｃоｍｍｕｎｉｔｉоｎ  Ｓｙｓｔｅｍ）と、その受信装置とがそれぞれ提案されている。
【０００５】
この種の放送受信装置の一例としては、自車が現在走行中の県から次の走行予定の県の交通情報を表示手段に表示する交通情報表示装置が提案されている（例えば特許文献１参照）。
【特許文献１】特開平１０−４３６６号公報
【発明の開示】
【発明が解決しようとする課題】
【０００６】
しかしながら、このような従来の交通情報表示装置では、自車が現在走行中の県から次の走行予定の県の交通情報しか受信できないので、例えば隣接県よりも先方の県よりも以遠の地域、すなわち３県以上の地域を指定した大雨、強風、洪水、台風、地震等の緊急情報ないし注意報、３県以上の広域に亘って影響を与える虞のある交通事故や交通渋滞の交通情報等、地域指定の緊急警報放送を広域に亘って受信することができない。
【０００７】
この課題はモータリゼーションの発達により自動車の走行範囲が急拡大している今日では、極めて重要な課題である。
【０００８】
本発明はこのような事情を考慮してなされたもので、その目的は、ナビゲーション部により探索された案内経路の全線のうち、現在地よりも目的地側先方の残り経路が通る地域を指定した放送を広域に亘って受信し映像表示や音声出力が可能な車載放送受信装置を提供することにある。
【課題を解決するための手段】
【０００９】
本発明は、近日放送予定のモバイル放送の中に、地域指定の緊急警報放送がデータ放送の一部として含まれている点に着目してなされたものであり、次のように構成されている。
【００１０】
請求項１に係る発明は、車両の出発地と目的地が入力されたときに、この出発地と目的地とを地図道路上で結ぶ案内経路を探索するナビゲーション部と、このナビゲーション部から読み込んだ上記案内経路全線において上記車両の現在位置よりも目的地側の所要地点までの残り経路を算出する残り経路算出手段と、この残り経路算出手段から読み込んだ残り経路が通過する地域を探索する残り経路地域探索手段と、放送を選局可能に受信する放送受信部と、この放送受信部により受信された放送中に、地域を指定した放送の有無を検出する地域指定放送検出手段と、この地域指定放送検出手段により検出された地域指定放送の中から、上記残り経路地域探索手段により探索された地域を指定した地域指定放送を抽出し、出力手段に出力する地域指定放送抽出手段と、を具備していることを特徴とする車載放送受信装置である。
【００１１】
請求項２に係る発明は、上記地域指定放送抽出手段は、上記残り経路地域を指定した放送のうち、上記経路上を走行する車両の現在位置から所要距離先の地点までを含む地域向けに放送された地域指定放送に限定して上記出力手段に出力する経路距離限定機能を、具備していることを特徴とする請求項１記載の車載放送受信装置である。
【００１２】
請求項３に係る発明は、上記地域指定抽出手段は、上記残り経路地域を指定した放送のうち、上記経路上を走行する車両の現在位置から所定の予定時刻までに到着すると予定される地点までを含む地域向けに放送された地域指定放送に限定して上記出力手段に出力する到着予定時刻限定機能を、具備していることを特徴とする請求項１記載の車載放送受信装置である。
【００１３】
請求項４に係る発明は、上記地域指定抽出手段は、上記残り経路地域を指定した放送のうち、上記経路上を走行する車両の現在位置から所定の所要時間内に到着すると予定される地点までを含む地域向けに放送された地域指定放送に限定して上記出力手段に出力する到着予定所要時間限定機能を、具備していることを特徴とする請求項１記載の車載放送受信装置。
【００１４】
請求項５に係る発明は、上記現在位置から所定距離までの経路距離、所要地点への到着予定時刻または到着予定所要時間の少なくともいずれかを予め設定する設定手段を、具備していることを特徴とする請求項１〜４のいずれか１項に記載の車載放送受信装置である。
【００１５】
請求項６に係る発明は、上記地域指定放送が地域指定の緊急警報放送であり、上記地域指定抽出手段は、上記地域指定の緊急警報放送を、上記出力手段に強制的に出力させ、またはこの地域指定の緊急放送に、上記放送受信部を強制的に選局させて出力させる強制出力機能を、具備していることを特徴とする請求項１〜４のいずれか１項に記載の車載放送受信装置である。
【００１６】
請求項７に係る発明は、上記放送がデータ放送を含むモバイル放送であり、上記出力手段は、上記モバイル放送の内容を、映像で表示する表示装置と音声で出力する音声出力手段とを備えていることを特徴とする請求項１〜５のいずれか１項に記載の車載放送受信装置である。
【発明の効果】
【００１７】
本発明によれば、ナビゲーション部により探索された案内経路の全線のうち、現在地よりも目的地側先方の残り経路が通る地域を指定した放送を広域に亘って受信し映像表示や音声出力することができる。
【発明を実施するための最良の形態】
【００１８】
以下、本発明の実施形態を添付図面に基づいて説明する。
【００１９】
図１は本発明の一実施形態に係る車載放送受信装置１のナビゲーション部により探索された案内経路の全線と残り経路を主に示す模式図、図２はその車載放送受信装置１の全体構成を示すブロック図である。
【００２０】
図２に示すように車載放送受信装置１は放送受信部の一例であるデジタル放送受信部２、ナビゲーション部の一例であるカーナビゲーション部３、図示しないＲＯＭとＲＡＭを有するメモリ４、このメモリ４を作業領域と記録領域等として使用するＣＰＵ（Ｃｅｎｔｒａｌ  Ｐｒоｃｅｓｓｉｎｇ  Ｕｎｉｔ）等からなるシステムコントローラ５、表示装置の一例であって、図示しないスピーカ等音声出力手段を具備したＬＣＤ（液晶表示装置）６を具備しており、自動車等の車両に搭載されている。
【００２１】
デジタル放送受信部２は、モバイル放送等衛星デジタル放送波を受信するアンテナ２ａ、図示しないチューナ、デマルチプレクサ（ＤＥＭＵＸ）およびＡＶデコーダ操作部を備える。チューナは、映像・音声データを含む高周波デジタル変調信号のうちから特定周波数の信号を取り出す機能を有する。また、チューナは、復調回路、逆インタリーブ回路、誤り訂正回路等を備えることにより、選択したデジタル変調信号を復調してトランスポート・ストリームを出力する機能を有する。
【００２２】
デマルチプレクサは、前記トランスポート・ストリームをＭＰＥＧ２（Ｍоｖｉｎｇ  Ｐｉｃｔｕｒｅ  Ｅｘｐｅｒｔｓ  Ｇｒоｕｐ２）等所要の画像圧縮方式のビデオストリーム、オーディオストリーム、およびＰＳＩ／ＳＩ（Ｐｒｏｇｒａｍ  Ｓｐｅｃｉｆｉｃ  Ｉｎｆｏａｍａｔｉｏｎ／Ｓｅｒｖｉｃｅ  Ｉｎｆｏａｍａｔｉｏｎ）に分離する機能を有する。デマルチプレクサは、ビデオストリームとオーディオストリームをＡＶデコーダに供給し、ＰＳＩ／ＳＩに含まれる番組情報等をシステムコントローラ５に供給する。デジタル放送受信部２に対する選局操作等は操作部を用いて行なうことができる。
【００２３】
また、システムコントローラ５はデジタル放送受信部２に対して選局制御機能を有する。すなわち、システムコントローラ５はメモリ４から選局に必要なデータを読み出して選局に必要なチャネルの選局データをチューナに送る処理やその他所要の制御を行なう機能を有する。なお、トランスポート・ストリームには複数のサービスが多重化されており、この中から任意のサービスを選択するための処理は、前記ＰＳＩ／ＳＩから任意のサービスがトランスポート・ストリーム中でどのパケットＩＤで多重化されているかといったデータを取り出すことで可能となる。また、トランスポート・ストリームの選定もＰＳＩ／ＳＩの情報に基づいて行なうことができる。
【００２４】
カーナビゲーション部３は、図示しない複数のＧＰＳ人工衛星から地上に無線送信される航法電波受信して、この車載放送受信装置１を搭載している自動車の現在位置（自車位置）を測位する図示しないＧＰＳ受信機を有し、このＧＰＳ受信機の測位データと、地図情報記憶媒体／読み出し装置から読み出した地図データから、自車位置を割り出して地図上のどの位置にいるかを判定する自車位置計算部、自車の現在位置から出発時に予め入力した目的地までを地図道路上で結ぶ案内経路を探索し、その案内経路を走行するために必要なランドマーク等を含むナビゲーション情報を生成する経路探索部および地図と自車位置を重ねた画像をＬＣＤ６に表示する図形描画部を備える。
【００２５】
なお、自車位置検出（測位）手段としては、慣性等を利用して自車位置を測位する自立航法装置を設けてもよく、これら測位データと、ＤＶＤ等の地図情報記憶体から読み出した地図データとから自車位置を算出するように構成してもよい。また、カーナビゲーション部３は音声案内のための音声合成部を備えることもある。
【００２６】
図１はカーナビゲーション部３の経路探索部により探索された案内経路７の全線と、この案内経路７上の自車の現在地８から目的地９までの残り経路１０と、この残り経路１０上における現在地８から所要距離走行したときに到達する地点Ｐａや、目的地９やその他の所要地に向かって予定の時刻まで走行したときに到達する地点Ｐｂ、目的地９やその他の所要地へ向かって予定の所要時間まで走行したときに到達する地点Ｐｃと、を示している。図１では、図示の都合上、単にこれら３地点Ｐａ〜Ｐｃが同一地点である場合を図示しているが、それぞれ異なる場合もある。
【００２７】
なお、上記到着予定時刻と到着予定所要時間は自車の走行速度と残り経路１０の距離のデータに基づいてシステムコントローラ５により算出される。自車の走行速度は自動車の速度計からの読み込み等により求められる。
【００２８】
そして、メモリ４には、ＤＶＤ（Ｄｉｇｉｔａｌ  Ｖｅｒｓａｔｉｌｅ  Ｄｉｓｃ）等の記録媒体に記録された地図情報が保存される一方、システムコントローラ５を、残り経路算出手段５ａ、残り経路地域探索手段５ｂ、地域指定放送検出手段５ｃ、地域指定放送抽出手段５ｄとして機能させる処理プログラムをインストールしている。
【００２９】
図３はシステムコントローラ５が残り経路算出手段５ａと残り経路地域探索手段５ｂと
して機能する場合のフローチャートを示しており、図中、符号Ｓ１〜Ｓ４はフローチャートの各ステップを示している。
【００３０】
すなわち、図示しない操作部により残り経路表示モードがユーザにより選択されると、まずＳ１で、システムコントローラ５の残り経路算出手段５ａは、ナビゲーション部３から案内経路７の全線を読み込む。
【００３１】
次のＳ２で、この読み込んだ案内経路７から残り経路１０を算出すると共に、この残り経路１０を走行するために必要なランドマーク等を含むナビゲーション情報を抽出する。
【００３２】
すなわち、残り経路算出手段５ａは、自車の現在地から所要距離離れた地点までの経路距離、現在地から所定の予定時刻までに到着すると予定される地点、現在地位置から所定の所要時間内に到着すると予定される地点の、いずれかがユーザによる操作部での手操作で選択されているか否かを読み込み、これら条件に適合する所要の地点Ｐａ，Ｐｂ，Ｐｃまでの残り経路を算出する。
【００３３】
次にＳ３で、システムコントローラ５は、残り経路地域探索手段５ｂとして作用し、Ｓ２で算出した残り経路１０が通過する地域の地図情報をメモリ４から読み込み、この残り経路１０が通過する地域、例えば図１では地域Ａと地域Ｂを探索し、さらに、次のＳ４で、メモリ４に予め保存されている地域と符号のデータテーブルをルックアップして地域Ａ，Ｂの地域符号を求め、メモリ４に格納しておく。
【００３４】
また、システムコントローラ５は図４のフローチャートで示す処理プログラムを実行することにより、地域指定放送検出手段５ｃと地域指定放送抽出手段５ｄとして機能する。なお、図４中、符号Ｓ１１〜Ｓ１７はこのフローチャートの各ステップを示す。
【００３５】
すなわち、まずＳ１１で、システムコントローラ５は、デジタル放送受信部２により受信した、例えばモバイル放送の全受信内容をデジタル放送受信部２から読み込み、一旦バッファに保存する。
【００３６】
モバイル放送は多チャンネルの音声放送やスポーツ等のエンターテイメント映像、ニュースや天気予報、緊急警報放送（ＥＷＳ）等のデータサービスを含むコンテンツをデジタル放送波で人工衛星等から放送するものである。緊急警報放送には、その受信時にデジタル放送受信部２を強制的に起動させる付加情報があり、この付加情報には緊急放送番組の緊急性、対象地域、プログラム番号が記録されており、この付加情報に基づき選局動作が行なわれる。
【００３７】
この後、Ｓ１２で、システムコントローラ５は、地域指定放送検出手段５ｃとして、上記受信した全受信内容をバッファから読み込み、次のＳ１３で、その中に緊急情報放送があるか否かを緊急警報放送検出手段により解析して、検出する。
【００３８】
この緊急警報放送検出手段はシステムコントローラ５とデマルチプレクサとにより構成される。この緊急警報放送検出手段は、付加情報信号に含まれる起動制御ビットを監視し、起動制御ビットが０から１に変わると、起動制御ビットが１である間、受信チャンネルのＰＭＴ（Ｐｒｏｇｒａｍ  Ｍａｐ  Ｔａｂｌｅ）中の緊急警報記述子を監視する。このとき、「ｓｔａｒｔ＿ｅｎｄ＿ｆｌａｇ＝１」かつ「ａｒｅａ＿ｃｏｄｅ＝受信装置に設定された県域指定の地域指定符号」であれば、ＰＭＴ中のｓｅｒｖｉｃｅ＿ｉｄに記述されたチャンネルを選局して受信することになる。そして、受信チャンネルのＰＭＴから緊急警報記述子が削除されると、受信装置は当該緊急警報放送（ＥＷＳ）の受信処理を終了する。
【００３９】
そして、このＳ１３で、緊急警報放送が無いと判断した場合は再びＳ１１へ戻り、Ｓ１２以下のステップを繰り返す一方、緊急警報放送があると判断した場合は、次のＳ１４へ進む。Ｓ１４では、緊急警報中から地域指定符号を抽出する。
【００４０】
一方、次のＳ１５で、地域指定符号をメモリ４から読み出す。次のＳ１６では、地域指定放送検出手段５ｃにより、この残り経路７の地域指定符号と、受信した各緊急警報の地域指定符号とを、それぞれ比較し、合致した地域指定符号の有無を判断し、合致した地域指定符号が無ければ、再びＳ１１へ戻り、Ｓ１１以下を繰り返す。一方、合致した地域指定符号があると判断したときはＳ１７へ進む。
【００４１】
Ｓ１７では、その地域指定符号が一致した緊急警報放送を、地域指定放送抽出手段５ｄにより抽出し、出力手段であるＬＣＤ６と音声出力手段とに出力し、映像と音声の少なくとも一方を出力する。
【００４２】
したがって、この車載放送受信装置１によれば、ユーザが図示しない操作部の操作により残り経路表示モードを選択し、さらに、その残り経路の表示モードの中で、経路距離地点Ｐａ、到着予定時刻地点Ｐｂ、到着予定所要時間地点Ｐｃのいずれかを選択すると、その選択に応じた残り経路１０がシステムコントローラ５の残り経路算出手段５ａにより算出される。
【００４３】
そして、この算出された残り経路１０が通る地域が何処であるかが残り経路地域探索手段５ｂにより探索される。
【００４４】
一方、デジタル放送受信部２により受信された全部の放送内容から、上記残り経路１０の地域を指定した地域指定放送、すなわち、地域が指定された緊急警報放送があるか否かが地域指定放送検出手段５ｃにより検出され、ある場合には、その地域指定された緊急警報放送のみが地域指定放送抽出手段５ｄにより抽出されてＬＣＤ６と音声出力手段に出力され、ＬＣＤ６に映像で表示され、音声出力手段から音声で出力される。これら緊急警報放送のＬＣＤ６等の出力手段への出力は、これら出力手段に現在出力中の出力に強制的に割り込ませて、優先的に出力してもよく、または、出力手段が停止中には、その出力手段を強制的に駆動させて緊急警報放送を強制的に出力させてもよい。
【００４５】
したがって、この車載放送受信装置１によれば、自車の現在地周辺のナビゲーション情報のみならず、その現在地よりも先方の残り経路１０が通る各地域に指定された緊急警報放送等の地域指定放送を受信しＬＣＤ６に出力することができる。
【００４６】
このために、残り経路が通る地域が複数県等複数地域、例えば隣接県のみならず、それよりも以遠の３県以上の地域に跨る場合でも、これら複数の地域に指定された地域指定放送である緊急警報放送の内容をＬＣＤ６等の出力手段により出力するきことができる。
【００４７】
また、これら緊急警報放送により、残り経路が通過する地域における大雨、強風、洪水、地震、交通事故、交通規制等の緊急性のある注意報や交通情報をユーザは得ることができる。
【００４８】
さらに、残り経路１０は、その終点を、経路距離地点Ｐａ、到着予定時刻地点Ｐｂ、到着予定所要時間地点Ｐｃのいずれかにそれぞれ任意に設定することができるので、自車の現在地からの所要の距離までに通る地域、または現在地からの到着予定時刻もしくは到着予定時間までに通る地域を指定した緊急警報放送の内容を得ることができれば、ユーザにとっては充分であり、その所要地点よりも先方の地域の緊急警報放送の内容まで入手することを希望しないのが一般的である。
【００４９】
これと同様に、ユーザは目的地等所要地点に到着した後は、それより先方の地域の緊急警報放送の内容の入手を希望しないのが一般的である。
【００５０】
このようにユーザが希望しない地域の緊急警報放送はカットしてＬＣＤ６等の出力手段に出力しないので、これら緊急警報放送を記録するメモリ容量の節約を図ることができる。
【図面の簡単な説明】
【００５１】
【図１】本発明の一実施形態に係る車載放送受信装置のナビゲーション部により探索された案内経路の全線と残り経路を主に示す模式図。
【図２】本発明の一実施形態に係る車載放送受信装置の構成を示すブロック図。
【図３】図２で示すシステムコントローラが残り経路算出手段と残り経路地域探索手段として機能する場合の処理手順を示すフローチャート。
【図４】図２で示すシステムコントローラが地域指定放送検出手段、地域指定放送抽出手段として機能する場合の処理手順を示すフローチャート。
【符号の説明】
【００５２】
１  車載放送受信装置
２  デジタル放送受信部
３  ナビゲーション部
４  メモリ
５  システムコントローラ
５ａ  残り経路算出手段
５ｂ  残り経路地域探索手段
５ｃ  地域指定放送検出手段
５ｄ  地域指定放送抽出手段
６  ＬＣＤ
７  経路
１０  残り経路
Ｐａ  経路距離地点
Ｐｂ  到着所定時刻地点
Ｐｃ  到着所定時間地点
【図１】
2005285046.tif 000003
【図２】
2005285046.tif 000004
【図３】
2005285046.tif 000005
【図４】
2005285046.tif 000006